(57)【要約】【課題】身体に貼着される帯状のテープを、所望の方向にシャープに切断可能な新規カッター構造を提供すること。  【解決手段】身体に貼着される長尺帯状のテープＴを、テープ長尺方向に導入可能な隙間を形成して対向する上板部１１と下板部１２でテープ両面から挟持し、刃先が前記下板部側へ配向されてなる切り刃２１を保持するカッター部２を、上板部１１においてテープ幅方向に開口形成されたガイド部１１１に沿ってスライド移動させることによりテープＴを幅方向に切断可能とし、あるいは、前記カッター部２を前記ガイド部に位置決めし、テープＴを符号Ｙ方向へ引き出すことにより、テープＴを長尺方向に切断可能とする。【選択図】  図３
2007237327.tif 000002
【特許請求の範囲】
【請求項１】
身体に貼着される長尺帯状のテープを所望の長さに切断するためのカッター構造であって、
前記テープをテープ長尺方向に導入可能な隙間を形成して対向する上板部と下板部とから構成されるテープ支持部と、
前記上板部においてテープ幅方向に細長状に開口形成されたガイド部と、
該ガイド部にスライド可能に取り付けられ、刃先が前記下板部側へ配向されてなる切り刃を保持するカッター部と、を備え、
前記カッター部をスライド移動させることによって、前記隙間に導入されたテープが幅方向へ切断されるカッター構造。
【請求項２】
前記カッター部を前記ガイド部に位置決めしておくとともに、前記テープ支持部の隙間からテープを引き出すことによって、該テープを長尺方向に切断することを特徴とする請求項１記載のカッター構造。
【請求項３】
前記カッター部を構成する切り刃の刃先方向を、前記テープの幅方向と長尺方向の各方向に向けて選択できることを特徴とする請求項２記載のカッター構造。
【請求項４】
請求項１から３のいずれか一項に記載のカッター構造を少なくとも備える身体貼着用テープの収容容器。
【請求項５】
前記収容容器は、ロール形状のテープが収容可能であって、該テープを回転させながら所望の長さだけのテープを帯状に引き出し可能とする引き出し口が設けられ、該引き出し口から引き出されたテープが前記カッター構造における前記支持部の隙間に導入されるように前記カッター構造を配置することを特徴とする請求項４記載の収容容器。
【請求項６】
ロール状に巻かれた前記テープに取り付けられる取り付け型カッター具であって、
請求項１から請求項３のいずれか一項に記載のカッター構造を有することを特徴とする取り付け型カッター具。
【発明の詳細な説明】
【技術分野】
【０００１】
本発明は、身体に貼着される長尺帯状のテープを切断するためのカッター構造に関する。より詳しくは、身体に貼着される長尺帯状のテープを、幅方向や長尺方向に切断可能なカッター構造、該カッター構造を備えた前記テープの収容容器、及び取り付け型カッターに関する。
【背景技術】
【０００２】
医療分野、民間医療分野、スポーツ分野などでは、筋肉の働きを活性化又は補強したり、関節痛や筋肉痛などの痛みを緩和したりする目的などで使用されるテープ（以下、「身体貼着用テープ」という。）が普及している。一般に、このような身体貼着用テープは、ロール状やシート状になった状態で販売されており、使用時には、目的の身体箇所のサイズや形状に合わせて切断されて、身体に貼着される。
【０００３】
身体貼着用テープを切断する場合、通常、ハサミが使用される。また、身体貼着用テープ自体に切り込み等が予め形成され、手で簡単に切断できるように工夫されているものもある。
【０００４】
特許文献１には、粘着テープの粘着剤がハサミの刃体に付着し難くするために工夫されたハサミが開示されている。特許文献２には、手で切れるように、幅方向に手切れ性が付与されている薬剤含有テーピングテープが開示されている。
【特許文献１】特開２００１−３１４６６９号公報。
【特許文献２】特開２００１−３１５６３号公報。
【発明の開示】
【発明が解決しようとする課題】
【０００５】
身体貼着用テープは、上述したように、貼着した身体箇所に合わせて切断することにより用いられるが、一般に身体貼着用テープは、布製等の基材上に粘着剤層が設けられており、更には、該粘着剤層に剥離紙が積層されていることが多い。このような層構造では、手切れ性が悪く、ハサミで切断する場合でも、その切断時の外力によって前記層構造にズレが生じる等するため、直線的に切断することが難しいという問題があった。
【０００６】
また、身体貼着用テープは、スポーツ等を行う際に、外出先で切断して使用される場合も多い。この場合、ハサミをカバン等に入れて持ち歩かなければならないので、安全面で問題があった。逆に安全面を重視して、サイズの小さいハサミを用いると、テープ切断に手間がかかるという問題があった。
【０００７】
そこで、本発明は、安全性が高く、身体貼着用テープを容易に、かつ所望の方向へシャープに切断するためのカッター構造、該カッター構造を備えた身体貼着用テープの収容容器、及び取り付け型カッターを提供することを主目的とする。
【課題を解決するための手段】
【０００８】
本願発明者らは、上記目的を達成するために鋭意研究した結果、身体貼着用テープを簡易に、かつシャープに切断できるカッター構造を新規に見出した。
【０００９】
第一に、本発明では、身体に貼着される長尺帯状のテープ（以下「テープ」と称する。）を長尺方向に導入可能な隙間を形成して対向する上板部と下板部とから構成されるテープ支持部と、前記上板部においてテープ幅方向に細長状に開口形成されたガイド部と、該ガイド部にスライド可能に取り付けられ、刃先が前記下板部側へ配向されてなる切り刃を保持するカッター部とを備えるカッター構造を提供する。
【００１０】
該カッター構造によれば、カッター部をガイド部に沿ってスライド移動させるという簡単な操作を行うだけで、テープを幅方向に切断することが可能であり、例えば、布製の基材、接着剤層、及び剥離紙からなる層構造からなるようなテープを、一度の切断作業よりスムーズに、直線的に切断することが可能である。
【００１１】
また、本発明では、テープを幅方向に切断することに加え、長尺方向にも切断可能なカッター構造を提供する。テープ長尺方向への切断は、例えば、カッター部を前記ガイド部に位置決めしておき、前記テープ支持部の隙間からテープ自体を引き出しながら行う。テープ幅方向に加えて、テープ長尺方向への切断も可能とすることによって、一つのテープから様々な幅のテープに分断したり、二股形状、短冊形状などのテープを作成したりすることが可能となる。
【００１２】
一つのカッター部を幅方向と長尺方向の両方の切断に用いる時は、カッター部を構成する切り刃の刃先を各方向へ向けて選択できるように設計することができる。
【００１３】
第二に、本発明では、前記カッター構造を少なくとも備える、テープの収容容器を提供する。テープを収容容器に収容して持ち運ぶことによって、カバンの中等でロール状のテープが解けたり、剥離紙がめくれたりすることを防止できる。また、収容容器にカッター構造を備えることで、どこでも所望の長さ、及び幅のテープを自由に形成することができる。
【００１４】
この収容容器は、テープをロール状の形態でそのまま収容できる容器形態とし、そして、この収容容器には、ロール状のテープを回転させながら所望の長さだけのテープを帯状に引き出すことができる引き出し口を設けておき、該引き出し口から引き出されたテープが、カッター構造における支持部の隙間（即ち、上板部と下板部の隙間）に導入されるようにする。
【００１５】
第三に、本発明では、本発明に係るカッター構造を有しており、ロール状に巻かれたテープに取り付けられるカッター具を提供する。この取り付け型カッター具を、テープに取り付けて、カッター構造における支持部の隙間へテープを導入すれば、テープを所望の方向へ切断できる。カッター構造を直接テープに取り付けることで、この取り付け型カッター具でロールの解けや剥離紙の剥がれを防止することもできる。
【発明の効果】
【００１６】
本発明に係るカッター構造は、身体に貼着される帯状のテープを、所望する長さ等に容易に切断することができ、かつ切断面がシャープである。また、刃先が露出していないので安全性が高く、持ち運びにも適している。
【発明を実施するための最良の形態】
【００１７】
以下、本発明に係るカッター構造の好適な実施形態について、添付した図面を参照しながら説明する。なお、本実施形態は、本発明の一実施形態を例示したものであり、これにより本発明の範囲が狭く解釈されることはない。
【００１８】
＜カッター構造＞
図１は、本発明に係る一実施形態であるカッター構造Ｃの外観斜視図である。このカッター構造Ｃは、身体に貼着される長尺帯状のテープＴ（以下「テープＴ」と称する。）を所望の長さに切断するための構造であって、大別すると、符号１で示されたテープ支持部と、該カッター支持部１に取り付けられたカッター部２と、からなる。
【００１９】
まず、カッター支持部１は、上方視長方形をなす上板部１１と、該上板部１１よりも広い面積を有し、上方視長方形の下板部１２と、が対向するように配置されている。これらの上板部１１と下板部１２は、図２に示すように、脱着自在としてもよい。
【００２０】
なお、脱着の方法や構成は、特に限定されないが、例えば、金属又は合成樹脂等で形成された蝶番等を符号Ｘで示す部分に取り付けたり、上板部１１の下面に凸部を設け、下板部１２の上面に凹部を設けて、これらを嵌合させたりすることで脱着自在としてもよい。また、上板部１１と下板部１２を合成樹脂で一体成形し、符号Ｘで示す部分を薄肉の連結部としてもよい。
【００２１】
上板部１１と下板部１２を脱着可能とするときは、図示しないが、非切断時（不使用時）における脱離を防止するための留め具を設けておくことが望ましい。後述するカッター部２の下方に保持された切り刃２１が、外部へ露出するのを防止するためである。
【００２２】
上板部１１と下板部１２は、テープＴをその長尺方向へ導入可能な隙間Ｏを形成している。この隙間Ｏは、例えば、テープＴの厚みよりもやや深く形成された凹部１２１を下板部１２に設けることによって形成してもよい（図１参照）。このような凹部１２１の両側立壁面１２１ａ，１２１ｂは、隙間Ｏに導入されてくるテープＴの走行ズレを防止するガイド壁として機能させることができる。
【００２３】
上板部１１の上面には、テープ幅方向Ｗ（図１参照）に延びる細長開口形状のガイド部１１１が設けられている。このガイド部１１１には、後述する前記カッター部２が往復スライド可能に取り付けられている。ガイド部１１１の少なくとも一端部は、図１中に符号１１１ａで示す開口部を設けておくことが望ましい。この開口部１１１ａにおいて、カッター部２の脱着を自在とすることで、カッター部２それ自体や該カッター部２に保持された切り刃２１の取替えが容易となる。図１のようにガイド部１１１の一端だけを開口させてもよいが、両端を開口させておくことも自由である。なお、図１中の符号Ｓは、カッター部２のスライド方向を示している。
【００２４】
一方の下板部１２の凹部１２１には、図２に示すように、前記ガイド部１１１の直下に位置する細長のガイド溝１２２が設けられている。テープ切断時には、前記カッター部２の下方に保持された切り刃２１（後述）の先端がこのガイド溝１２２に向けてテープを押しつけた状態でスライド移動する。これにより、前記切り刃２１は、下板部１２に接触することなくスライドするので、刃先の磨耗や損傷を有効に防止することができる。
【００２５】
次に、カッター部２は、図２に示すように、その刃先が下板部１２（のガイド溝１２２）側へ配向されてなる切り刃２１を保持している。切り刃２１の形状は、特に限定されないが、例えば、三角刃とすることができる。また、円形刃として、切断時に回転させながらテープＴを切断するようにしてもよい。
【００２６】
以上説明したカッター構造Ｃを構成する各部品の材料としては、特に限定されないが、ステンレスやアルミニウム等の金属や合成樹脂等を挙げることができる。
【００２７】
テープＴのテープ幅方向Ｗ（図１参照）への切断は、テープＴをカッター構造Ｃの隙間Ｏに導入し、上板部１１と下板部１２とでテープＴを挟持したような状態とし、カッター部２をガイド部１１１に沿ってスライド移動させることによって行う。
【００２８】
一方、図３では、本発明に係るカッター構造Ｃを使って、テープＴをテープ長尺方向に切断する方法を示している。テープＴを隙間Ｏに導入し、カッター部２をガイド部１１１の所望の位置に位置決めしておき、このカッター部２は固定したまま、テープＴを隙間ＯからＹ方向へ引き出すことによって、テープＴをテープ長尺方向へ切断する。
【００２９】
このように、本発明に係るカッター構造Ｃでは、テープＴをテープの幅方向、及び長尺方向のどちらにも切断できるように工夫することで、所望の長さのテープや図４のようなＹ字型テープＴ１を容易に作ることができる。
【００３０】
カッター部２は、とくに図示しないが、複数のカッター部２を設けることも自由である。複数のカッター部２を設けることで、テープＴを短冊状に同時に切断形成することが可能となる。上板部１１に２走のガイド部１１１を所定間隔で並設し、一方のガイド部にテープ幅方向切断用のカッター部２、他方のガイド部にテープ長尺方向切断用のカッター部２を設けてもよい。
【００３１】
また、一つのカッター部２で、幅方向と長尺方向の両方向に切断可能とする構成も採用できる。一つのカッター部２を幅方向と長尺方向の両方の切断に用いる時は、例えば、カッター部２を構成する刃先を各方向へ向けて選択できるように工夫する。刃先方向の選択方法の一例を、図５に示す。
【００３２】
図５中のＡは、図１中のＩ−Ｉ線矢視方向の部分垂直断面図、同図中のＢはＡのＪ−Ｊ線矢視方向の水平断面図である。まず、カッター部２の構造を説明する。カッター部２は、図面上側から見て順番に、上方視正方形をなす板状のつまみ操作部２２と、該操作部２２の下面中央位置から下方側へ延びる棒状の軸部２３と、該軸部２３の下端位置に形成された円盤部２４と、該円盤部２４の下面に一体形成された正方形部２５と、該正方形部２５にその刃先が下板部１２（ガイド溝１２２）へ配向するように保持された切り刃２１ａ（２１ｂ）と、からなる。身体貼着用テープＴをテープ幅方向に切断する際の刃２１ａを実線で示し、テープ長尺方向に切断する際の切り刃２１ｂを破線で示す。
【００３３】
次に、上板部１１の構造を説明する。上板部１１は、図５中向かってガイド部１１１等をはさんで、右上板部１１ａと、左上板部１１ｂとからなる。図面上側から視て順番に、ガイド部１１１、該ガイド部より幅広に形成された空洞部１１１ａ、該空洞部１１１ａより幅狭であって下板部１２方向に開口する下方側ガイド部１１１ｂとする。
【００３４】
これらカッター部２と上板部１２の配置関係を説明する。カッター部２における操作部２２を上板部１１の上面側に、軸部２３をガイド部１１１に、円盤部２４と正方形部２５を空洞部１１１ａに、それぞれ配置する。
【００３５】
刃先方向の選択方法は、特に限定しないが、例えばカッター部２全体を前記の配置状態で回転させることで行う。回転可能とするために、軸部２３と円盤部２４は、上方視円形とすることが望ましい。
【００３６】
また、上板部１１の上部から視認できるのはカッター部２のうち操作部２２のみであるため、下方に保持された切り刃２１ａ（２１ｂ）の刃先方向が分かるようにしておくことが望ましい。例えば、刃先方向を示す印をつけておく等が考えられる。
【００３７】
テープＴのテープ幅方向Ｗ（図１参照）の切断は、図Ａ中Ｐ方向にカッター部２全体を押し下げることにより、正方形部２５を下方側ガイド部１１１ｂの位置まで下げ、切り刃２１ａが下板部１２のガイド溝１２２に入り込んだ状態で行う。この状態でカッター部２全体を、図Ｂ中Ｓ方向へスライド移動させることによりテープＴを幅方向Ｗへ切断する。
【００３８】
テープＴの長尺方向への切断は、カッター部２をガイド部の所望の位置に位置決めし、前述の選択方法で刃先方向を長尺方向（２１ｂ）へ選択した後、図Ａ中Ｐ方向にカッター部２全体を押し下げた状態で行う。この状態でカッター部２を固定したまま、テープＴを図Ａ中Ｙ方向へ引き出すことにより、テープＴを長尺方向へ切断する。
【００３９】
このようにテープＴの各方向への切断は、正方形部２５を下方側ガイド部１１１ｂの位置でスライド移動、若しくは固定させた状態で行うため、正方形部２５は下方側ガイド部１１１ｂに遊嵌できる程度の大きさであって、上方視正方形とすることが望ましい。上方視正方形とすれば、正方形部２５を下方側ガイド部１１１ｂに遊嵌させた際に、ぐらつくことがなく、カッター部２全体をスライド移動させてテープをテープ幅方向に切断するときにも、下方側ガイド１１１ｂに沿って、直線的にテープＴを切断できる。仮に、上方視円形とすると、正方形部２５を下方側ガイド部１１１ｂに遊嵌させた状態で、カッター部２全体がＲ方向へ回転してしまう場合があり、この状態でカッター部２をスライド移動、若しくは固定してテープを各方向に切断すると、切り刃２１ａ（２１ｂ）の刃先方向が一定に保てず、テープを直線的に切断できないことが生じ易くなる。
【００４０】
非切断時には、切り刃２１ａ（２１ｂ）を下方側ガイド部１１１ｂに収容しておくことが望ましい。この状態では、上板部１１と下板部１２の隙間Ｏに切り刃２１ａ（２１ｂ）が露出しないため、上板部１１と下板部１２が脱離した状態でも切り刃２１ａ（２１ｂ）が外部へ露出せず、安全性を確保できるからである。
【００４１】
例えば、図６に示すようなストッパー３を、図５の図Ａ中空間Ｚに挿入しておけば、カッター部２がＰ方向へ押し下げられるのを防止できる。ストッパー３の形状は特に限定されないが、図６のようにストッパー３をコの字型に形成してもよい。このストッパー３を空間Ｚに挿入し、ストッパー３の隙間３１を軸部２３に嵌合させることにより、カッター部２がＰ方向へ押し下げられるのを防止できる。
【００４２】
＜身体貼着用テープの収容容器＞
図７は、本発明に係る一実施形態であるカッター構造Ｃを設けたことを特徴とするテープＴの収容容器Ｂ１の外観斜視図である。収容容器Ｂ１は、蓋部４１とテープ保持部４２とからなり、蓋部４１とテープ保持部４２を開閉等させることにより、ロール状に巻かれたテープＴを収容する。テープＴを収容容器Ｂ１に収容することにより、持ち運び時にテープＴのロールが解けたり、剥離紙が粘着剤層から剥がれたりすることを防ぐことができる。
【００４３】
収容容器は、ロール状のテープＴを回転させながら所望の長さだけ、引き出し可能とすることが望ましい。引き出し口をどのように形成するかは特に限定しないが、例えば、蓋部４１とテープ保持部４２の間から引き出すように設計することもできる。
【００４４】
カッター構造Ｃを、収容容器Ｂ１のどの部分へ設けるかは限定されないが、例えば、図７のように、収容容器Ｂ１の蓋部４１とテープ保持部４２との開閉部にフランジｆを設け、このフランジｆに設けることが可能である。
【００４５】
このとき、蓋部４１におけるフランジｆ１にカッター構造Ｃにおけるテープ支持部１の上板部１１を取り付け、テープ保持部４２におけるフランジｆ２に下板部１２を取り付けると、図７のように上板部１１と下板部１２の隙間ＯからテープＴを引き出すことができ、より好適である。
【００４６】
この場合、引き出したテープを、そのまま上板１１と下板１２で挟持し、カッター部２をスライド移動させて幅方向へ切断し、或いは、テープＴを引き出しながら長尺方向へ切断することができる。
【００４７】
また、このとき図示しないが、カッター構造Ｃの上板部１１と下板部１２の脱離を防止するための留め具を設けておけば、不使用時に切り刃がカッター構造部外へ露出するのを防止することができ、同時に収容容器Ｂ１の蓋部４１とテープ保持部４２との開閉防止にもなる。
【００４８】
収容容器Ｂ１の形状は、特に限定されないが、図８のように円筒体としてもよい。この円筒体の収容容器を符号Ｂ２で示す。収容容器Ｂ２を円筒体とすると、角がない分、手で持ち易く、テープを切断する際に力をかけ易い。
【００４９】
収容容器Ｂ２の外周面上には、カッター構造Ｃが備えられている。また同様に、収容容器Ｂ２の外周面には、引き出し口５が設けられている。そして、この引き出し口５から、テープＴを帯状に引き出すことができる。
【００５０】
この引き出し口５は、テープＴが帯状に引き出せれば外周面上のどの部分に設けるかは限定されないが、カッター構造Ｃと隣設させることが望ましい。引き出し口５から所望の長さのテープＴを引き出し、隣設するカッター構造Ｃで引き出したテープＴを切断すれば、収容容器Ｂ２外部へ出るテープ量を最小に抑えることができるからである。
【００５１】
図９は、図７及び図８とは異なる実施形態の一例である収容容器Ｂ３の外観斜視図である。この収容容器Ｂ３は、病院や診療所、接骨院、又はリハビリセンター等で業務用として使用できるようにした収容容器である。
【００５２】
収容容器Ｂ３の形状は、特に限定されないが、卓上で転がらないような形状が好ましい。収容容器Ｂ３の一部に、図示しないが、取り出し口を設け、隣設するようにカッター構造Ｃを備える。前述した収容容器Ｂ１及びＢ２と同様に、所望の長さのテープＴを引き出し、引き出したテープＴをカッター構造Ｃの隙間Ｏに導入し、テープ幅方向若しくは、長尺方向に切断する。この収容容器Ｂ３を使えば、卓上に置いたままで、テープＴの切断が可能である。
【００５３】
以上、説明した収容容器Ｂ１，Ｂ２，Ｂ３の容器本体の材料は、特に限定しないが、例えば、クラフト紙で形成することができる。クラフト紙は可燃性であるため、廃棄するのも簡単であり、環境にも優しいと言ったメリットがある。
【００５４】
また、合成樹脂で形成することもできる。合成樹脂は加工容易であり、また、使用耐久性も高く、何度も繰り返し使えるといったメリットがある。
【００５５】
更に、収容容器Ｂ１，Ｂ２，Ｂ３の容器本体の一部又は全部が、透視性材料で形成することもできる。透視性材料とすることで、収容容器外からテープＴの残量が確認できる。
【００５６】
＜身体貼着用テープの取り付け型カッター具＞
図１０は、テープ構造Ｃを有する、ロール状に巻かれたテープＴに取り付ける取り付け型カッター具Ｈの外観斜視図である。取り付け型カッター具Ｈは、カッター構造Ｃと、テープＴを把持するための固定具６と、からなる。固定具６は、カッター構造Ｃのガイド部１１１の両端に付設する。
【００５７】
取り付け型カッター具ＨのテープＴへの取り付け方を説明する。まず、図１０のように、カッター構造ＣをテープＴのテープ面上を幅方向にまたぐように設置する。次に、カッター構造Ｃの両端の固定具６で、ロール状に巻かれたテープＴの幅方向両側のテープＴ積層面Ｔｓをとおり、テープＴのリール部Ｔｒへ向かって、テープＴを把持するように固定する。
【００５８】
テープＴに取り付け型カッター具Ｈを取り付けた状態で、カッター構造Ｃにおけるテープ支持部１の上板１１と下板１２の隙間ＯからテープＴを導入し、その状態で上板１１と下板１２でテープＴを挟持し、所望の方向へ切断する。
【００５９】
固定具６の材料は、特に限定しないが、例えば、変形容易な金属や、伸縮性材料で形成されることが望ましい。あらゆる大きさのテープＴに取り付けられ、また、テープＴの残量によって調節できるようにするためである。
【００６０】
取り付け型カッターＨを直接テープに取り付けることで、ロールの解けや剥離紙の剥がれを防止できる。
【産業上の利用可能性】
【００６１】
本発明に係るカッター構造は、身体に貼着される帯状のテープを容易に、かつシャープに切断することができる。そして、切り刃が露出していないので持ち運び時等に、安全性が高い。また、テープ幅方向やテープ長尺方向への切断を可能とすることによって、一つのテープから様々な幅のテープに分断したり、二股形状、短冊形状などのテープを作製したりすることができる。更に、前記カッター構造を身体貼着用テープの収容容器に備えたり、テープ自体に取り付けたりすることにより、テープと同時に持ち運ぶことができ、加えて、剥離紙等が剥がれて無駄になるテープの量を抑えることができる。
【図面の簡単な説明】
【００６２】
【図１】本発明に係る一実施形態であるカッター構造Ｃの外観斜視図である。
【図２】テープ支持部１における上板部１１と下板部１２の脱着方法の一例を示す図である。
【図３】本発明に係るカッター構造Ｃを使って、テープＴをテープ長尺方向に切断する方法を示す図である。
【図４】本発明に係るカッター構造Ｃを使って、テープＴを切断した際に作製可能なテープ形状の一例であるＹ字型テープＴ１を示す図である。
【図５】Ａは図１中のＩ−Ｉ線矢視方向の部分垂直断面図、ＢはＡのＪ−Ｊ線矢視方向の水平断面図である。
【図６】切り刃２１ａ（２１ｂ）がカッター構造Ｃの隙間Ｏへ露出することを防止するストッパー３を示す図である。
【図７】本発明に係る一実施形態であるカッター構造Ｃを備える、テープＴの収容容器Ｂ１の外観斜視図である。
【図８】図８とは異なる実施形態の一例である、略円柱体の収容容器Ｂ２の外観斜視図である。
【図９】図７、及び図８とは異なる実施形態の一例である、卓上用の収容容器Ｂ３の外観斜視図である。
【図１０】本発明に係る一実施形態である取り付け型カッターＨの外観斜視図である。
【符号の説明】
【００６３】
Ｃ  カッター構造
Ｔ，Ｔ１  身体に貼着される帯状のテープ
Ｗ  テープ幅方向
Ｏ  隙間
１  テープ支持部
１１  上板部
１２  下板部
１１１  ガイド部
１１１ａ  空洞部
１１１ｂ  下方側ガイド部
１２１  凹部
１２１ａ，１２１ｂ  ガイド壁面
１２２  ガイド溝
２  カッター部
２１ａ，２１ｂ  切り刃
２２  操作部
２３  軸部
２４  円盤部
２５  正方形部
３  ストッパー
Ｂ１，Ｂ２，Ｂ３  収容容器
４１  蓋部
４２  テープ保持部
ｆ，ｆ１，ｆ２  フランジ
５  引き出し口
Ｈ  取り付け型カッター具
６  固定具
Ｔｓ  テープ積層面
Ｔｒ  テープのリール部
【図１】
2007237327.tif 000003
【図２】
2007237327.tif 000004
【図３】
2007237327.tif 000005
【図４】
2007237327.tif 000006
【図５】
2007237327.tif 000007
【図６】
2007237327.tif 000008
【図７】
2007237327.tif 000009
【図８】
2007237327.tif 000010
【図９】
2007237327.tif 000011
【図１０】
2007237327.tif 000012